(57)【要約】【課題】撮影時に用いるクレーンの構成を単純化し、組み立て分解が短時間ででき、重量増を抑え、かつ携帯性に優れた水中撮影用手持ちクレーンを提供する。また、超広角撮影レンズを備えたテレビカメラをカメラハウジングへ収容した場合においても、窓ガラスの後面外周縁付近の写り込みを防止できるようにする。【解決手段】遠隔調整されるチルト機構１４を備えた防水構造のカメラハウジング１５と照明器１６とを先端部に備えるとともに、後端把持部にチルト調整機構１７を設けた継ぎ足し延長可能な複数本の支持ポール１１によって水中撮影用手持ちクレーンを構成する。また、超広角撮影レンズを備えたテレビカメラを収容したカメラハウジング１５の窓ガラスを、超広角撮影レンズの画角を越える直径寸法で形成し、窓ガラスの後面外周縁付近の写り込みを防止する。【選択図】図１
2009128894.tif 000002
【特許請求の範囲】
【請求項１】
水中撮影に耐えられる防水構造を有し、チルト調整手段によって遠隔調整されるチルト機構を備えたカメラハウジングと、
前記カメラハウジングに収容され、前記カメラハウジングの窓ガラスを介して撮像する超広角撮影レンズを備えたテレビカメラと、
先端部に前記カメラハウジングと照明器を装着するとともに、後端把持部に前記チルト調整手段を設けた継ぎ足し延長可能な支持ポールとからなる水中撮影用手持ちクレーンにおいて、
前記カメラハウジングの窓ガラスを前記テレビカメラの超広角撮影レンズの画角を越える直径寸法に形成し、前記窓ガラスの後面外周縁付近の写り込みを防止するように構成したことを特徴とする水中撮影用手持ちクレーン。
【請求項２】
前記カメラハウジングの窓ガラスは、前記テレビカメラの超広角撮影レンズの画角を越える直径寸法を有する円形平板で形成するとともに、前記円形平板の中心位置を前記テレビカメラのレンズ光学系の光軸上に配置したことを特徴とする請求項１記載の水中撮影用手持ちクレーン。
【請求項３】
前記カメラハウジングの窓ガラスは、前記テレビカメラの超広角撮影レンズの画角を越える直径寸法を有するドーム形に形成するとともに、前記ドーム形の窓ガラスの球心位置を前記テレビカメラのレンズ光学系の光軸上に配置したことを特徴とする請求項１記載の水中撮影用手持ちクレーン。
【請求項４】
前記カメラハウジングの窓ガラスは、前面と後面とを半球面状に形成するとともに、その半球面状の球心位置を前記テレビカメラのレンズ光学系の光軸上に配置したことを特徴とする請求項１または請求項３記載の水中撮影用手持ちクレーン。
【請求項５】
前記カメラハウジングの窓ガラスは、前面と後面とを半球面状に形成するとともに、その前面と後面は、球心が一致した同心球の球面としたことを特徴とする請求項１または請求項３あるいは請求項４のうちいずれか一項記載の水中撮影用手持ちクレーン。
【請求項６】
前記カメラハウジングは、前記窓ガラスを保護するための保護カバーを前記窓ガラスの前面の外周縁を囲むように外方向へ突出させて設けたことを特徴とする請求項１から請求項５のうちいずれか一項記載の水中撮影用手持ちクレーン。
【請求項７】
前記支持ポールは、中継ぎ支持ポールの連結によって中継ぎ足し延長可能に構成したことを特徴とする請求項１記載の水中撮影用手持ちクレーン。
【発明の詳細な説明】
【技術分野】
【０００１】  本発明は、陸上あるいは船上から撮影者を中心とした半径１〜３ｍ程度の範囲内で、かつ水深１〜２ｍ程度の水中撮影を行なう場合に用いる水中撮影用手持ちクレーンに関し、特に、小型かつ軽量で機動性に富み、撮影者が一人で水辺等における多彩な水中映像表現を可能とする水中撮影用手持ちクレーンに関する。
【背景技術】
【０００２】  従来の簡易型の水中撮影装置としては、例えば、陸上あるいは船上から汚濁水中の水底などを調査するためのテレビモニター付きの汚濁水透視装置が提案されている（例えば、特許文献１参照）。【０００３】  この特許文献１に記載されているテレビモニター付きの汚濁水透視装置は、テレビカメラを吊り下げロッドの最下段の先端に装着するとともに、容器の一部が軟質の透明膜で構成されている中空の容器をテレビカメラに被せ、かつ容器内に水や空気などの透明物質を封入している。一方、液晶モニターは、吊り下げロッドの最上段の真横に取り付けられている。また、テレビカメラと液晶モニターを取り付ける吊り下げロッドは、中継ぎロッドを継ぎ足すことにより、長さを任意に調節することができるように構成している。【０００４】  また、他の従来の簡易型の水中撮影装置としては、例えば、水中カメラとモニター手段により水中の映像を捉えつつ、陸上あるいは船上から船底等に付着したフジツボ等の海洋生物を除去する付着物除去装置が提案されている（例えば、特許文献２参照）。【０００５】  この特許文献２に記載されている付着物除去装置は、基端側ロッドと先端側ロッドとに二分割できるように構成され、現場で簡易に組み立てることができるようにしている。そして、先端側ロッドには、水中カメラが取り付けられ、この水中カメラは、基部側ロッドに設けられた遠隔操作手段によって、首振り可能に構成されている。一方、水中カメラで撮影された映像は、陸上等から操作する作業者が装着している眼鏡式モニターによって、視認できるように構成されている。【０００６】  さらに、従来の簡易型の水中撮影装置としては、例えば、水中カメラ用シャッター押し補助具として提案されたものがある（例えば、特許文献３参照）。【０００７】  この特許文献３に記載されている水中カメラ用シャッター押し補助具は、内軸と、その内軸を出入り自在に収納する外軸とからなる伸縮可能な長尺な金属製のパイプ杆を設け、その先端にカメラを取り付ける金具を設けるとともに、後端に、把持部とカメラのシャッターを遠隔操作する引き金とを設けている。さらに、引き金と金具に取り付けられたカメラのシャッターとの間をワイヤー等からなるシャッターアームで接続し、引き金を引くことにより、写真を撮ることができるように構成されている。【０００８】  また、従来の水中撮影装置の多くは、図４に示すように構成されたカメラハウジング１が用いられている。このカメラハウジング１は、水中における撮影を目的として内部へ収容したテレビカメラ２を水密状に覆うように構成されている。【０００９】  この図４に示すカメラハウジング１は、テレビカメラ２を内部へ収容可能な構成としたハウジング本体３と、テレビカメラ２をハウジング本体３の内部へ収容または外部へ取り出すことができるように構成した裏蓋４とを備えている。また、ハウジング本体３の前面には、ガラスや透明なアクリル等の透光性部材からなる窓ガラス５が取り付けられ、この窓ガラス５を通じてハウジング本体３内へ入った被写体光がテレビカメラ２の撮影レンズ６へ入り、撮影が行なわれるように構成されている。【００１０】  また、窓ガラス５のハウジング本体３への取り付け部分には、Ｏリング等の防水シール部材（図示しない）が設けられている。この防水シール部材により、カメラハウジング１の内部を水密状態に保つことができるように構成されている。【００１１】  ところで、周知のとおり、陸上と水中とでは、撮影レンズの焦点距離が異なってくる。即ち、水中では、水の屈折率が１．３３で、空気の屈折率１．００よりも高いため、水中でのレンズの焦点距離が伸びることになる。例えば、陸上で３５ｍｍや４５ｍｍの単焦点レンズは、水中においては、５０ｍｍや６５ｍｍ相当のレンズとして働き、ワイド画角域のないものとなってしまう。【００１２】  これでは、ダイナミックな水中景観や魚の群れ等を撮影することがでず、テレビカメラを水中で使用する場合には、ワイド系の広角画像が得られることが望ましい。そこで、例えば、テレビ放送用等の業務用の水中撮影用テレビカメラにおいては、水中撮影時のワイド画角域を確保するために、２．８ｍｍ等の超広角撮影レンズが用いられている。【００１３】
【特許文献１】特開２００３−８７６０９号公報
【特許文献２】特開２００３−８１１８０号公報
【特許文献３】実用新案登録第３０１０３４２号公報
【発明の開示】
【発明が解決しようとする課題】
【００１４】  しかし、上述した図４に示すように構成した従来のカメラハウジング１は、２．８ｍｍ等の超広角撮影レンズを備えたテレビカメラ２を収容して水中撮影を行なうことを考慮に入れた構成にはなっていないために、窓ガラス５の後面外周縁付近（イ）の写り込み、いわゆる、映像ケラレが生じて、撮影した画像の周囲が黒く写り込むという問題があった。【００１５】  本発明は、このような従来の構成が有していた問題を解決しようとするものであり、撮影時に用いるクレーンの構成を単純化することにより組み立て分解が短時間ででき、部品点数の増大およびそれに伴う製作コストの上昇や重量増を抑え、使いやすく、かつ携帯性に優れた水中撮影用手持ちクレーンを提供することに加えて、超広角撮影レンズを備えたテレビカメラをカメラハウジングへ収容した場合においても、窓ガラスの後面外周縁付近の写り込みを防止することができる水中撮影用手持ちクレーンを提供することを目的としている。
【課題を解決するための手段】
【００１６】  上記の目的を達成するために本発明の水中撮影用手持ちクレーンは、水中撮影に耐えられる防水構造を有し、チルト調整手段によって遠隔調整されるチルト機構を備えたカメラハウジングと、前記カメラハウジングに収容され、前記カメラハウジングの窓ガラスを介して撮像する超広角撮影レンズを備えたテレビカメラと、先端部に前記カメラハウジングと照明器を装着するとともに、後端把持部に前記チルト調整手段を設けた継ぎ足し延長可能な支持ポールとからなる水中撮影用手持ちクレーンにおいて、前記カメラハウジングの窓ガラスを前記テレビカメラの超広角撮影レンズの画角を越える直径寸法に形成し、前記窓ガラスの後面外周縁付近の写り込みを防止するように構成したことを特徴としている。【００１７】  さらに、本発明は、上記の水中撮影用手持ちクレーンにおいて、以下の態様の発明をも提供するものである。【００１８】  すなわち、前記カメラハウジングの窓ガラスは、前記テレビカメラの超広角撮影レンズの画角を越える直径寸法を有する円形平板で形成するとともに、前記円形平板の中心位置を前記テレビカメラのレンズ光学系の光軸上に配置したことを特徴としている。【００１９】  また、前記カメラハウジングの窓ガラスは、前記テレビカメラの超広角撮影レンズの画角を越える直径寸法を有するドーム形に形成するとともに、前記ドーム形の窓ガラスの球心位置を前記テレビカメラのレンズ光学系の光軸上に配置したことを特徴としている。【００２０】  また、前記カメラハウジングの窓ガラスは、前面と後面とを半球面状に形成するとともに、その半球面状の球心位置を前記テレビカメラのレンズ光学系の光軸上に配置したことを特徴としている。【００２１】  さらに、前記カメラハウジングの窓ガラスは、前面と後面とを半球面状に形成するとともに、その前面と後面は、球心が一致した同心球の球面としたことを特徴としている。【００２２】  また、前記カメラハウジングは、前記窓ガラスを保護するための保護カバーを前記窓ガラスの前面の外周縁を囲むように外方向へ突出させて設けたことを特徴としている。【００２３】  また、前記支持ポールは、中継ぎ支持ポールの連結によって中継ぎ足し延長可能に構成したことを特徴としている。
【発明の効果】
【００２４】  本発明の水中撮影用手持ちクレーンは、先端部にチルト調整可能なカメラハウジングと照明器を装着するとともに、後端把持部にチルト調整手段を設けた継ぎ足し延長可能な支持ポールによって構成したことによって、小型かつ軽量で機動性に富み、撮影者が一人で陸上あるいは船上から撮影者を中心とした半径１〜３ｍ程度の範囲内で、かつ水深１〜２ｍ程度の水中撮影を簡易に行なうことができ、水辺等における多彩な水中映像表現を可能にする。また、水中撮影時に用いるクレーンの構成を単純化することにより、組み立て分解が短時間ででき、部品点数の増大およびそれに伴う製作コストの上昇や重量増を抑え、使いやすく、かつ携帯性に優れている。【００２５】  さらに、本発明の水中撮影用手持ちクレーンは、カメラハウジングに超広角撮影レンズを備えたテレビカメラを収容した場合においても、カメラハウジングの窓ガラスを超広角撮影レンズの画角を越える直径寸法に形成するとともに、窓ガラスの中心位置をテレビカメラのレンズ光学系の光軸上に配置したことによって、窓ガラスの後面外周縁付近の写り込みを防止することができ、撮影した画像の周囲が黒く写り込むという問題を解消することができる。【００２６】  また、カメラハウジングの窓ガラスをテレビカメラの超広角撮影レンズの画角を越える直径寸法を有するドーム形に形成するとともに、このドーム形の窓ガラスの球心位置をテレビカメラのレンズ光学系の光軸上に配置したことによって、窓ガラスの後面外周縁付近の写り込みを防止することができ、撮影した画像の周囲が黒く写り込むという問題を解消することができ、さらに、ドーム形の窓ガラスを使用することによって、水中撮影時における映像歪みを軽減することができるという効果を得ることができる。
【発明を実施するための最良の形態】
【００２７】  以下、本発明に係る水中撮影用手持ちクレーンの実施の形態を図１〜図３に基づいて説明する。【００２８】  図１は、本発明の全体構成を示す説明図である。図２は、図１の構成の要部を示したもので、図２の（ａ）は、チルト調整機構を設けた支持ポールの後端把持部を示す説明図、図２の（ｂ）は、支持ポールの形状を示す説明図、図２の（ｃ）は、チルト機構と、カメラハウジングと、照明器とを設けた支持ポールの先端部分を示す説明図である。図３は、本発明に用いるカメラハウジングの第１および第２の実施の形態を示すもので、図３の（ａ）は、第１の実施の形態を示す断面側面図、図３の（ｂ）は、第２の実施の形態を示す断面側面図である。【００２９】  まず、図１および図２に基づいて、本発明を実施するための最良の形態の全体構成について説明する。【００３０】  図１および図２において、１１は支持ポールで、１本が１１０ｃｍ程度の長さのカーボンファイバー材等からなる弾力性を有する複数本のポールで構成されている。この複数本のそれぞれの支持ポール１１は、図２の（ｂ）に示すように、両端縁１１１と１１２の径をそれぞれ異なる嵌合形状に形成し、複数本の支持ポール１１を嵌め込み連結して長さを継ぎ足し延長することができるように構成されている。また、この支持ポール１１は、両端縁１１１と１１２の近くに、連結組み立ておよび分解を可能にするノックピン１２およびそのノックピン１２が係合するノック穴１３が設けられている。【００３１】  また、先端に取り付けられる支持ポール１１には、チルト機構１４を備えた防水構造のカメラハウジング１５と照明器１６が装着されている。一方、後端把持部にあたる支持ポール１１には、チルト機構１４を遠隔調整するチルト調整機構１７を備えている。【００３２】  このチルト調整機構１７は、図２の（ａ）に示すように、チルト調整レバー１７１と、チルト固定レバー１７２と、レバー位置固定ノブ１７３を設けている。チルト調整レバー１７１は、時計方向または半時計方向に回転操作することにより、その回転力が歯車機構１７４を介して支持ポール１１内に回転自在に挿入されているチルト駆動シャフト１８へ伝達される。チルド駆動シャフト１８へ伝達された回転力は、支持ポール１１の先端に設けた歯車機構１４１を介してカメラハウジング１５へ伝達され、この伝達された回転力と回転方向に応じて、カメラハウジング１５は、チルト動作を行なうことができる。【００３３】  このようにしてチルト調整が完了した後は、チルト固定レバー１７２を所定の方向へ回して、チルト調整位置を固定する。また、レバー位置固定ノブ１７３は、撮影時等において、チルト調整レバー１７１とチルト固定レバー１７２が邪魔にならない位置へ回転移動させた後、所定の方向へ回して、チルト調整レバー１７１とチルト固定レバー１７２の位置を固定する。【００３４】  図１において、１９は陸上に設置されたバッテリーで、ケーブル２０を通じて照明器１６用の電力を供給している。一方、カメラハウジング１５内に収容された後述するテレビカメラに対するバッテリー１９からの電力の供給は、電源供給線や映像信号線あるいは制御信号を伝送するための制御線等を一つにまとめて構成した多��能ケーブル２１の中の電源供給線を通じて供給している。また、このケーブル２０と多機能ケーブル２１は、支持ポール１１の外周面の適宜位置に結束固定され、支持ポール１１を移動して水中撮影を行なう際等において邪魔にならないようにしている。【００３５】  ２２は撮影者の近くに設置された液晶モニターで、カメラハウジング１５内のテレビカメラから出力された映像信号が多機能ケーブル２１の映像信号線を通じて供給されるとともに、バッテリー１９から多機能ケーブル２１の電源供給線を通じて供給される電力に基づいて表示動作を行なうように構成されている。２３は撮影者の近くに設置されたビデオ録画・再生機で、カメラハウジング１５内のテレビカメラから出力された映像信号が多機能ケーブル２１の映像信号線を通じて供給されるとともに、バッテリー１９から供給される電力に基づいてビデオの録画・再生動作を行なうように構成されている。【００３６】  上記のように構成した本発明の水中撮影用手持ちクレーンは、先端部にチルト調整可能なカメラハウジング１５と照明器１６を装着するとともに、後端把持部にチルト調整機構１７を設けた継ぎ足し延長可能な支持ポール１１によって構成したことにより、小型かつ軽量で機動性に富み、撮影者が一人で陸上あるいは船上から撮影者を中心とした半径１〜３ｍ程度の範囲内で、かつ水深１〜２ｍ程度の水中撮影を簡易に行なうことができる。また、水中撮に撮影時に用いるクレーンの構成を単純化することにより、組み立て分解が短時間ででき、部品点数の増大およびそれに伴う製作コストの上昇や重量増を抑え、使いやすく、かつ携帯性に優れている。
【実施例１】
【００３７】  次に、図３の（ａ）に基づき、本発明の水中撮影用手持ちクレーンに用いるカメラハウジング１５の第１の実施の形態について説明する。【００３８】  図３の（ａ）において、カメラハウジング１５は、内部を密閉するとともに、水中での水圧に耐えられるように構成され、主としてハウジング本体１５１と裏蓋１５２とから構成されている。ハウジング本体１５１は、円筒状に形成されており、その前面側には、内部から外部を臨む窓用開口部が円形状に形成され、また、後端側には、テレビカメラ２４を出し入れする開口部が円形状に形成されている。【００３９】  また、ハウジング本体１５の前面側に形成した円形状の窓用開口部には、詳細を後述する窓ガラス１５３がＯリング等の防水手段を介して取り付けられ、窓用開口から内部への水の浸入が防止されている。また、窓用開口部の周囲には、窓ガラス１５３を保護するためのフード形状をした保護カバー１５４を一体的、または防水ねじ込み構造等を用いて着脱自在に設けられている。【００４０】  上記の窓ガラス１５３は、詳細を後述するテレビカメラ２４に備えた２．８ｍｍ等の超広角撮影レンズ２４１の画角を越える直径寸法を有する円形平板状に形成されている。また、この円形平板状の窓ガラス１５３は、その中心位置をテレビカメラ２４のレンズ光学系の光軸（ロ）上に配置されるように、ハウジング本体１５の窓用開口部に取り付けられている【００４１】  ハウジング本体１５１の後端側には、裏蓋１５２が着脱可能にネジあるいはパッチン錠（図示しない）等により取り付けられている。この裏蓋１５２によってハウジング本体１５１の後端側の開口部がふさがれると、ハウジング本体１５１内が密閉され、水中で使用した際に、ハウジング本体１５１内への水の浸入が防止されるように構成されている。【００４２】  また、裏蓋１５２の内側には、ガイドレール形状のカメラ台座１５５がネジ止め等によって取り付けられている。このカメラ台座１５５は、上側の所定位置にテレビカメラ２４を載置した後、下側に設けたカメラ固定ネジ１５６を用いてテレビカメラ２４を台座へ締め付け固定するように構成されている。【００４３】  上記ハウジング本体１５１内へ収容されるテレビカメラ２４は、例えば、テレビ放送用の映像を撮影するカメラ装置であり、このテレビカメラ２４は、撮影レンズが交換可能なカメラ本体と、２．８ｍｍ等の超広角撮影レンズ２４１の光学系とから構成されている。【００４４】  テレビカメラ２４のカメラ本体には、撮像素子や所要の信号処理を施す信号処理回路等が搭載されており、超広角撮影レンズ２４１の光学系により結像された被写体像が撮像素子により光電変換された後、信号処理回路により所要形式の映像信号に変換されてテレビカメラ２４から出力される。超広角撮影レンズ２４１は、被写体の像を結像する光学系とその光学系を制御する制御系（図示しない）とから構成されている。【００４５】  以上のように構成されたテレビカメラ２４は、ハウジング本体１５１の裏蓋１５２を取り外した状態で、その裏蓋１５２のカメラ台座１５５の所定位置に固定した後、ハウジング本体１５１の後端側の開口部から内部へ挿入し、超広角撮影レンズ２４１の光学系の対物側がハウジング本体１５１の窓ガラス１５３へ対向するようにしてハウジング本体１５１内へ設置される。【００４６】  そして、裏蓋１５２によってハウジング本体１５１の後端側の開口部が閉じられると、テレビカメラ２４がハウジング本体１５１内へ密閉された状態で収容される。これによっで、テレビカメラ２４が水中でも浸水することなく、窓ガラス１５３を介してハウジング本体１５１の外部の被写体を撮影することが可能となる。【００４７】  また、テレビカメラ２４は、超広角撮影レンズ２４１の光学系の光軸（ロ）がハウジング本体１５１の窓ガラス１５３の中心位置と一致するようにハウジング本体１５１の内部へ固定される。したがって、窓ガラス１５３と超広角撮影レンズ２４１の光学系とによって、ハウジング本体１５１の外部の被写体を結像する光学系（水中撮影用光学系）が構成される。即ち、窓ガラス１５３は、ハウジング本体の外部の被写体を結像する水中撮影用光学系の対物側先端の防水用レンズとして作用する。【００４８】  また、ハウジング本体１５１内には、テレビカメラ２４から出力された映像信号をハウジング本体１５１の外部機器の液晶モニター２２やビデオ録画・再生機２３へ伝送するためのコネクター２４２や多機能ケーブル２１等を備えている。これによって、テレビカメラ２４の操作やテレビカメラ２４との必要な情報のやり取りをハウジング本体１５１を介してハウジング本体１５１の外部から行なうことができる。【００４９】  以上のように構成した本発明の水中撮影用手持ちクレーンに用いる第１の実施の形態のカメラハウジング１５によれば、窓ガラス１５３を、２．８ｍｍ等の超広角撮影レンズ２４１の画角を越える直径寸法を有する円形平板で形成するとともに、円形平板の窓ガラス１５３の中心位置をテレビカメラ２４のレンズ光学系の光軸（ロ）上に配置したことにより、超広角撮影レンズ２４１を備えたテレビカメラ２４をハウジング本体１５１内へ収容し、水中撮影を行なった場合においても、窓ガラス１５３の後面外周縁付近の写り込みを防止することができ、撮影した画像の周囲が黒く写り込むという問題を解消することができる。
【実施例２】
【００５０】  次に、図３の（ｂ）に基づき、本発明の水中撮影用手持ちクレーンに用いるカメラハウジング１５の第２の実施の形態について説明する。なお、この図３の（ｂ）では、上述した第１の実施の形態において示した構成と同一ないしは対応する構成には同一符号が付されている。ここでは、この第２の実施の形態に係る構成を中心に説明する。【００５１】  図３の（ｂ）において、ハウジング本体１５１の円形の窓用開口部に取り付けられた窓ガラス１５７は、テレビカメラ２４の超広角撮影レンズ２４１の画角を越える直径寸法を有するドーム形に形成するとともに、ドーム形の窓ガラス１５７の球心位置をテレビカメラ２４のレンズ光学系の光軸（ロ）上に配置されるように構成されている。【００５２】  さらに、窓ガラス１５７の前面１５７ａと後面１５７ｂは、それぞれ、半球面状に形成され、その前面１５７ａと後面１５７ｂは、球心が一致した同心球の球面となっており、図３の（ｂ）のように、ハウジング本体１５１の内部にテレビカメラ２４を設置すると、この前面１５７ａおよび後面１５７ｂの球心位置、即ち、窓ガラス１５７の球心位置は、超広角撮影レンズ２４１の光学系の光軸（ロ）上に配置されるように構成されている。また、このとき、窓ガラス１５７の球心位置は、超広角撮影レンズ２４１の入射瞳位置に一致するように配置されている。【００５３】  したがって、窓ガラス１５７および超広角撮影レンズ２４１の光学系からなる水中撮影用光学系に入射してテレビカメラ２４の撮像面に入射する光線は、窓ガラス１５７の前面１５７ａと後面１５７ｂのいずれにおいても略直交する。即ち、超広角撮影レンズ２４１の入射瞳位置の光軸（ロ）上の点に向かって入射する光線は、窓ガラス１５７の前面１５７ａと後面１５７ｂと直交する。そのため、窓ガラス１５７の前面側の媒体が水であっても、空気であっても光線は窓ガラス１５７で屈折せず、窓ガラス１５７の前面側の媒体の性質にかかわらず、水中撮影用光学系の画角が一定となる。【００５４】  この結果、上述した第２に実施の形態に係るカメラハウジング１５は、水中撮影時における画像歪みを著しく軽減することが可能となる。さらに、窓ガラス１５７を２．８ｍｍ等の超広角撮影レンズ２４１の画角を越える直径寸法を有するドーム形に形成するとともに、そのドーム形の窓ガラス１５７の球心位置をテレビカメラ２４のレンズ光学系の光軸（ロ）上に配置したことにより、超広角撮影レンズ２４１を備えたテレビカメラ２４をハウジング本体１５１内へ収容し、水中撮影を行なった場合においても、窓ガラス１５７の後面外周縁付近の写り込みを防止することができ、撮影した画像の周囲が黒く写り込むという問題を解消することができる。
【図面の簡単な説明】
【００５５】
【図１】本発明の全体構成を示す説明図である。
【図２】図１の全体構成の要部を示した説明図である。
【図３】本発明に用いるカメラハウジングの第１および第２の実施の形態を示す説明図である。
【図４】従来のカメラハウジングの一例を示す説明図である。
【符号の説明】
【００５６】    １        カメラハウジング
２        テレビカメラ
３        ハウジング本体
４        裏蓋
５        窓ガラス
６        撮影レンズ
１１      支持ポール
１１１、１１２    端縁
１２      ノックピン
１３      ノック穴
１４      チルト機構
１４１    歯車機構
１５      カメラハウジング
１５１    ハウジング本体
１５２    裏蓋
１５３    窓ガラス
１５４    保護カバー
１５５    カメラ台座
１５６    カメラ固定ネジ
１５７    窓ガラス
１５７ａ  前面
１５７ｂ  後面
１６      照明器
１７      チルト調整機構
１７１    チルト調整レバー
１７２    チルト固定レバー
１７３    レバー位置固定ノブ
１７４    歯車機構
１８      チルト駆動シャフト
１９      バッテリー
２０      ケーブル
２１      多機能ケーブル
２２      液晶モニター
２３      ビデオ録画・再生機
２４      テレビカメラ
２４１    超広角撮影レンズ
２４２    コネクター
【図１】
2009128894.tif 000003
【図２】
2009128894.tif 000004
【図３】
2009128894.tif 000005
【図４】
2009128894.tif 000006